(57)【特許請求の範囲】
【請求項１】
パネル貫通孔への装着用グロメットに挿通させるワイヤハーネスの電線に止水処理を行うワイヤハーネスの止水処理方法であって、
前記ワイヤハーネスの布線を行う治具板上で当該ワイヤハーネスを配索する際に、前記電線の止水処理を行う部分を挟んで布線方向の前後両側または片側の電線保持具を布線方向に対して平行または斜めに配置し、前記電線を前記電線保持具に布線することにより前記止水処理を行う部分に張力をかけて前記電線を平板状に広げ、平板状に広げた前記電線の片側または両側から止水剤を塗布し、
前記止水剤を塗布した部分を略円筒状に丸めてからテープを巻き付けた後に、グロメットを装着することを特徴とするワイヤハーネスの止水処理方法。
【請求項２】
パネル貫通孔への装着用グロメットに挿通させるワイヤハーネスの電線に止水処理を行うワイヤハーネスの止水処理方法であって、
前記ワイヤハーネスの布線を行う治具板上で当該ワイヤハーネスを配索し、前記電線の止水処理を行う部分に、この部分の長さよりも幅広の電線保持具を布線方向に対して直角に配置し、前記電線の布線後に前記電線保持具を布線方向に対して平行または斜めに旋回させることにより前記止水処理を行う部分に張力をかけて前記電線を平板状に広げ、平板状に広げた前記電線の片側または両側から止水剤を塗布し、
前記止水剤を塗布した部分を略円筒状に丸めてからテープを巻き付けた後に、グロメットを装着することを特徴とするワイヤハーネスの止水処理方法。
【請求項３】
パネル貫通孔への装着用グロメットに挿通させるワイヤハーネスの電線に止水処理を行うワイヤハーネスの止水処理方法であって、
前記ワイヤハーネスの布線を行う治具板上で当該ワイヤハーネスを配索し、前記電線の止水処理を行う部分の布線方向前後両側または片側に電線保持具を布線方向に対して直角に配置し、前記電線の布線後に前記電線保持具を布線方向に対して平行または斜めに旋回させることにより前記止水処理を行う部分の両側または片側に張力をかけて前記電線を平板状に広げ、平板状に広げた前記電線の片側または両側から止水剤を塗布し、
前記止水剤を塗布した部分を略円筒状に丸めてからテープを巻き付けた後に、グロメットを装着することを特徴とするワイヤハーネスの止水処理方法。
【請求項４】
前記電線保持具を旋回後布線方向に対して所定角度位置に固定する固定手段を設けたことを特徴とする請求項２または３に記載のワイヤハーネスの止水処理方法。
【請求項５】
前記固定手段が、前記電線保持具の下部に一体的に設けられて前記治具板上面に移動可能に接触する板材と、
該板材に設けられている貫通孔を貫通すると共に前記治具板に設けられている固定孔に嵌入されることにより前記電線保持具を所定の角度に固定する固定ピンと、を備えていることを特徴とする請求項４に記載のワイヤハーネスの止水処理方法。
【発明の詳細な説明】
【０００１】
【発明の属する技術分野】
本発明は、自動車のパネル貫通孔に装着させるグロメットに挿通させるワイヤハーネスの電線間の防水を図るためのワイヤハーネスの止水処理方法に関するものである。
【０００２】
【従来の技術】
従来より、例えば自動車の車室の内外を仕切るパネル等を通して配索されるワイヤハーネスでは、パネルに設けられている貫通孔にゴム製のグロメットが装着される。このグロメットを通してワイヤハーネスが配索されることで、グロメットとパネル貫通孔との間を確実にシールして、パネルの貫通孔から車室内へ浸水するのを防止している。
【０００３】
しかし、グロメットとワイヤハーネスの電線との間や各電線間に隙間があると、この隙間を通して車室内に浸水する可能性があるので、これらの隙間もシールする必要がある。
【０００４】
そこで、前記隙間をシールするために、特開平１０−２２４９６０号公報に示されているような装置を用いて電線間のシールが行なわれている。
すなわち、図９に示すように、ワイヤハーネス組立用の配索板１１の上には、複数本の電線からなる電線群を所定の配索形態に応じた分岐形状に支持するために複数の電線群受け治具１２a、１２b、１２c、１２d、１２e が取り付けられており、その途中の所定位置には電線群Ｗに止水剤を塗布して防水処理を行うための防水処理用治具１３が配置されている。
【０００５】
防水処理用治具１３では、配索板１１の上に基板１４を取り付け、この基板１４の上に所定間隔をおいて一対の電線保持具１５、１５が立設されている。この電線保持具１５には、グロメット挿通部位の電線１６を１本ずつ縦列に整列させて保持するためのスリット１７が各々設けられている。
【０００６】
このような装置を用いて、以下のような手順で防水処理を行う。
すなわち、先ず、図１０（Ａ）に示したように、電線保持具１５のスリット１７によりグロメット挿通部位の電線１６を縦列に１列の平面上に整列させる。
次に、図１０（Ｂ）に示したように、一対の電線保持具１５、１５間において整列した電線１６の表面に、止水剤塗布ノズル１８により未固化状態の止水剤１９を塗布する。
【０００７】
次に、図１０（Ｃ）に示したように、止水剤１９を塗布した電線１６の一方の表面に束ねるための帯状フィルム２１を貼付して、電線１６を１列の整列状態に連結した後、電線１６を防水処理用治具１３（図９参照）から取り外す。
次に、図１０（Ｄ）に示したように、帯状フィルム２１を巻き締めて、電線１６を円形断面に結束する。
【０００８】
次に、図１０（Ｅ）に示したように、帯状フィルム２１の結束位置の上にテープ２２を巻きつけて、電線１６の断面寸法をグロメットのハーネス挿通孔に緊密嵌合する円形に整形すると共に、止水剤１９を固化させる。
そして、最後に図１０（Ｆ）に示したように、テープ２２の巻き付け位置の上にグロメット２３を装着する。
【０００９】
【発明が解決しようとする課題】
しかしながら、上記従来の止水処理方法においては、電線１６を１列の整列状態に保持した状態で止水剤１９を塗布するため、電線１６の本数が多くなると、電線１６を１列に整列させるための細幅の電線保持具１５が上下方向に長くなり、布線するのが困難になるという問題があった。
【００１０】
本発明の目的は、上記従来の問題点に着目してなされたものであり、止水処理を行う際に容易に布線することのできるワイヤハーネスの止水処理方法を提供することにある。
【００１１】
【課題を解決するための手段】
上記の目的を達成するために、請求項１記載のワイヤハーネスの止水処理方法は、パネル貫通孔への装着用グロメットに挿通させるワイヤハーネスの電線に止水処理を行うワイヤハーネスの止水処理方法であって、前記ワイヤハーネスの布線を行う治具板上で当該ワイヤハーネスを配索する際に、前記電線の止水処理を行う部分を挟んで布線方向の前後両側または片側の電線保持具を布線方向に対して平行または斜めに配置し、前記電線を前記電線保持具に布線することにより前記止水処理を行う部分に張力をかけて前記電線を平板状に広げ、平板状に広げた前記電線の片側または両側から止水剤を塗布し、前記止水剤を塗布した部分を略円筒状に丸めてからテープを巻き付けた後に、グロメットを装着することを特徴とする。
【００１２】
前記構成のワイヤハーネスの止水処理方法によれば、ワイヤハーネスを治具板上で配索し、棒状の治具により配索されたワイヤハーネスの電線の止水処理を行う部分に張力をかけて電線を平板状に広げるので、幅の広い電線保持具を用いても細幅で整列することができる。
そして、この平板状に広げた電線に、片側或いは両側から止水剤を塗布した後に略円筒状に丸めてテープを巻き付けて止水処理を行うので、止水処理を完全に行うことができる。
【００１４】
前記構成のワイヤハーネスの止水処理方法によれば、治具板において止水処理を行う部分を挟んだ布線方向の前後両側あるいは片側に設けた電線保持具を、布線方向に対して平行または斜めに配置しておき、この電線保持具に電線を布線することにより張力をかける。これにより、電線は電線保持具に押し付けられ、細幅で整列することができ、幅の広い電線保持具を用いることができるので、布線を容易に行うことができる。
【００１５】
請求項２記載のワイヤハーネスの止水処理方法は、 パネル貫通孔への装着用グロメットに挿通させるワイヤハーネスの電線に止水処理を行うワイヤハーネスの止水処理方法であって、前記ワイヤハーネスの布線を行う治具板上で当該ワイヤハーネスを配索し、前記電線の止水処理を行う部分に、この部分の長さよりも幅広の電線保持具を布線方向に対して直角に配置し、前記電線の布線後に前記電線保持具を布線方向に対して平行または斜めに旋回させることにより前記止水処理を行う部分に張力をかけて前記電線を平板状に広げ、平板状に広げた前記電線の片側または両側から止水剤を塗布し、前記止水剤を塗布した部分を略円筒状に丸めてからテープを巻き付けた後に、グロメットを装着することを特徴とする。
【００１６】
前記構成のワイヤハーネスの止水処理方法によれば、治具板上の止水処理を行う部分で布線方向と直角に設けられた電線保持具に布線した後、この電線保持具を布線方向に対して平行または斜めに旋回させる。このとき、電線保持具は止水処理を行う部分を内側に含んで、前後両外側の電線を布線方向と交差し且つ互いに反対方向へ押して張力を発生するので、細幅に整列することができる。
この電線保持具は、止水処理を行う部分の長さよりも幅が広く、布線方向と直交する方向に配置されているので、容易に布線することができる。
【００１７】
請求項３記載のワイヤハーネスの止水処理方法は、パネル貫通孔への装着用グロメットに挿通させるワイヤハーネスの電線に止水処理を行うワイヤハーネスの止水処理方法であって、前記ワイヤハーネスの布線を行う治具板上で当該ワイヤハーネスを配索し、前記電線の止水処理を行う部分の布線方向前後両側または片側に電線保持具を布線方向に対して直角に配置し、前記電線の布線後に前記電線保持具を布線方向に対して平行または斜めに旋回させることにより前記止水処理を行う部分の両側または片側に張力をかけて前記電線を平板状に広げ、平板状に広げた前記電線の片側または両側から止水剤を塗布し、前記止水剤を塗布した部分を略円筒状に丸めてからテープを巻き付けた後に、グロメットを装着することを特徴とする。
【００１８】
前記構成のワイヤハーネスの止水処理方法によれば、治具板において止水処理を行う部分を挟んで布線方向の前後両側または片側に、電線保持具を布線方向に対して直角に配置し、ワイヤハーネスを配索した後に電線保持具を布線方向と平行または斜めに旋回させて張力を発生させるので、細幅で整列することができる。このとき、幅の広い電線保持具を用いることができるので、布線を容易に行うことができる。
【００１９】
請求項４記載のワイヤハーネスの止水処理方法は、請求項２または３記載のワイヤハーネスの止水処理方法であって、前記電線保持具を旋回後布線方向に対して所定角度に固定する固定手段を設けたことを特徴とする。
【００２０】
前記構成のワイヤハーネスの止水処理方法によれば、電線保持具にワイヤハーネスを配索して、電線保持具を旋回した後に、張力を与えた状態で固定手段により固定するので、容易に止水剤を塗布することができる。
【００２１】
請求項５記載のワイヤハーネスの止水処理方法は、請求項４記載のワイヤハーネスの止水処理方法であって、前記固定手段が、前記電線保持具の下部に一体的に設けられて前記治具板上面に移動可能に接触する板材と、該板材に設けられている貫通孔を貫通すると共に前記治具板に設けられている固定孔に嵌入されることにより前記電線保持具を所定角度に固定する固定ピンと、を備えていることを特徴とする。
【００２２】
前記構成のワイヤハーネスの止水処理方法によれば、電線保持具の下部に設けられている板材を治具板の上面に接触して電線保持具を旋回させ、板材に設けられている貫通孔を貫通して治具板に設けられている固定孔に固定ピンを嵌入させる。これにより、電線保持具を所定角度に確実に固定することができる。なお、貫通孔または固定孔を複数個設けるようにすれば、電線保持具の旋回を種々の角度で行って固定することができる。
【００２５】
【発明の実施の形態】
以下、本発明のワイヤハーネスの止水処理方法の第１実施形態を図１至図３に基づいて詳細に説明する。なお、本実施形態は、請求項３，４，５に対応するものである。
図１本発明に係るワイヤハーネスの止水処理方法の第１実施形態を示す斜視図、図２は図１におけるワイヤハーネスの止水処理方法の模式図、図３（Ａ），(B)は固定手段を示す斜視図及び平面図である。なお、従来技術と共通する部分には同じ符号を付して重複する構成及び作用の説明は省略する。
【００２６】
図１に示すように、本実施形態に係るワイヤハーネスの止水処理方法では、止水処理を行う止水処理部分Ｒに近接した場所に、電線群Ｗを丸断面で保持できる形状をした電線保持具３１を布線方向と直角に設置しておく。
図３（Ａ）に示すように、電線保持具３１は、Ｕ字状の保持部３２を支持する軸３３の下部に円板状の板材３４が設けられており、この板材３４が治具板１４の上面に接触しながら軸３３を中心として旋回自在となっている。板材３４には偏心した位置に貫通孔３５ａ，３５ｂが設けられており、治具板１４には所定角度位置に固定孔３６が設けられている。
【００２７】
なお、貫通孔３５ａ及び固定孔３６に固定ピン３７を嵌入させると電線保持具３１が布線方向と直交する方向にセットされ、貫通孔３５ｂ及び固定孔３６に固定ピン３７を嵌入させると、電線保持具３１は布線方向に対して所定の角度だけ旋回した位置に固定される。
また、貫通孔３５ｂまたは固定孔３６を複数個設ければ、種々の角度で電線保持具３１を旋回させて固定することもできる。
【００２８】
次に、本発明に係るワイヤハーネスの止水処理方法の手順について説明する。図１〜図３に示すように、止水処理部分Ｒに近接した電線保持具３１の板材３４の貫通孔３５ａと治具板１４の固定孔３６を合わせて固定ピン３７を嵌入させ、電線保持具３１を布線方向に対して直交する方向に設けておき（図２中実線で示す）、電線１６を布線する。
次いで、軸３３を中心として旋回させて板材３４の貫通孔３５ｂを治具板１４の固定孔３６に合わせて固定ピン３７を嵌入させることにより（図２中破線で示す）電線１６に張力を付与する。これにより、電線保持具３１の保持部３２は布線方向に斜め或いは平行となって固定され、電線保持具３１の見かけの幅Ｄ１は実際の幅Ｄ０に比して狭くなる（図２参照）。
【００２９】
電線１６は保持部３２により布線方向に交差する方向へ屈折されるため、電線１６は張力により片方の保持部３２に押し付けられて１列に整列される。すなわち、電線１６は幅細の電線保持具３１を用いたのと同様に止水処理部分Ｒは張力が付加されて略縦１列に整列しているので、片側或いは両側から止水剤１９を塗布することができる。
その後、固定ピン３７を抜き取って電線保持具３１を布線方向と直交する方向へ戻すことにより張力が取り除かれ、電線１６を止水剤１９が内部まで塗布された丸断面に戻す。
【００３０】
以上の結果から、電線１６の本数が増加しても、幅広の電線保持具３１を用いて電線１６を幅細に整列させることができる。これに伴い、止水処理部分Ｒに止水剤１９を塗布して内部まで染み込ませることができる。
また、幅広の電線保持具３１を使用することができるので、電線１６の布線作業を容易に行うことができる。
【００３１】
次に、本発明のワイヤハーネスの止水処理方法の第２実施形態を図４及び図５に基づいて詳細に説明する。なお、本実施形態は請求項１に対応するものである。また、第１実施形態と共通する部分には同じ符号を付して重複する構成及び作用の説明は省略する。
図４及び図５に示すように、本実施形態に係るワイヤハーネスの止水処理方法では、予め前述の電線保持具３１を軸３３を中心として旋回させて、板材３４の貫通孔３５ｂを治具板１４の固定孔３６に合わせて固定ピン３７を嵌入させ、布線方向に対して交差する方向に固定しておく。
なお、この場合には、電線保持具３１は前述の電線保持具のように旋回可能ではなく、保持部３２が布線方向に対して角度をつけて作製されているものを用いることもできる。
このように構成することにより、電線保持具３１の保持部３２の布線方向に対する見かけの幅が幅細になるので、前述の第１実施形態と同様に、電線１６の本数が増加しても、幅広の電線保持具３１を用いて電線１６を幅細に整列させることができる。
【００３２】
次に、本発明のワイヤハーネスの止水処理方法の第３実施形態を図６及び図７に基づいて詳細に説明する。図６は本発明に係るワイヤハーネスの止水処理方法の第３実施形態を示す斜視図、図７は図６におけるワイヤハーネスの止水処理方法の模式図である。なお、本実施形態は、請求項２に対応するものである。また、前述の第１実施形態または第２実施形態と共通する部分には同じ符号を付して構成及び作用の説明は省略する。
【００３３】
図６に示すように、本実施形態に係るワイヤハーネスの止水処理方法では、止水処理を行う止水処理部分Ｒに、この止水処理部分Ｒの長さよりも大きな幅Ｄ０のＵ字状の保持部３８を有する電線保持具３９を布線方向に対して直交する方向へ設置しておく。この電線保持具３９は、図３において前述した場合と同様に保持部３８を支持する軸３３の下部に円板状の板材３４を設けることもできる。
【００３４】
本実施形態に係るワイヤハーネスの止水処理方法では、止水処理部分Ｒに電線保持具３９を布線方向に直交するように設けておき（図６に示す状態）、電線１６を布線する。次いで、軸３３を中心として旋回させることにより電線１６に張力を付与する（図７において破線で示す状態）。なお、前述したのと同様に板材３４を設けた場合には、固定ピン３７を電線保持具３９の貫通孔３５ｂから治具板１４の固定孔３６に差し込む（図３参照）。これにより、電線保持具３９の保持部３８は布線方向に斜めに固定される。
【００３５】
電線１６は保持部３８により布線方向に交差する方向へ屈折されるため、電線１６は張力により両方の保持部３８の内側に押し付けられて１列に整列される。すなわち、電線１６は見かけの幅Ｄ１である幅細の電線保持具３９を用いたのと同様に止水処理部分Ｒは張力が付加されて略縦１列に整列しているので、片側或いは両側から止水剤１９を塗布する。
その後、電線保持具３９を布線方向と直交する方向へ戻すことにより張力が取り除かれ、電線１６を止水剤１９が内部まで塗布された丸断面に戻すことができる。
【００３６】
以上の結果から、電線１６の本数が増加しても、止水処理部分Ｒを跨いだ幅広の電線保持具３９を用いて電線１６を幅細に整列させることができる。これに伴い、止水処理部分Ｒに止水剤１９を塗布して内部まで染み込ませることができる。また、幅広の電線保持具３９を使用することができるので、電線１６の布線を容易に行うことができる。
【００３７】
なお、上述した第１から第３実施形態において用いたＵ字状の電線保持具３１、３９の他に、棒状の治具として、図８に示すような電線保持具４１を用いることもできる。
この電線保持具４１では、一対のＬ字状治具４２、４２を用いて電線１６に張力を付与するものであり、電線１６を保持するＬ字状治具４２が１本の棒部材から構成されているので、特に電線１６の布線が容易になる。
【００３８】
【発明の効果】
以上説明したように本発明に係るワイヤハーネスの止水処理方法では、電線の本数が増加しても、幅広の電線保持具を用いて電線を幅細に整列させることができる。これにより、止水処理部分に止水剤を塗布して内部まで染み込ませることができる。また、幅広の電線保持具を使用することができるので、電線の布線を容易に行うことができる。
【図面の簡単な説明】
【図１】本発明に係るワイヤハーネスの止水処理方法の第１実施形態を示す斜視図である。
【図２】図１におけるワイヤハーネスの止水処理方法を示す模式図である。
【図３】図１における固定手段を示し、図（A）は斜視図であり、図（B）は平面図である。
【図４】本発明に係るワイヤハーネスの止水処理方法の第２実施形態を示す斜視図である。
【図５】図４におけるワイヤハーネスの止水処理方法を示す模式図である。
【図６】本発明に係るワイヤハーネスの止水処理方法の第３実施形態を示す斜視図である。
【図７】図６におけるワイヤハーネスの止水処理方法を示す模式図である。
【図８】図６におけるワイヤハーネスの止水処理方法の別例を示す斜視図である。
【図９】従来のワイヤハーネスへの止水処理方法を示す斜視図である。
【図１０】図９におけるワイヤハーネスへの止水処理方法の手順を示す工程図である。
【符号の説明】
１４  治具板
１６  電線
１９  止水剤
２２  テープ
２３  グロメット
３１  電線保持具（棒状の治具）
３４  板材（固定手段）
３５  貫通孔（固定手段）
３６  固定孔
３７  固定ピン
３９，４１  電線保持具（棒状の治具）
Ｒ  止水処理部分
【図１】
0003773173.tif 000002
【図２】
0003773173.tif 000003
【図３】
0003773173.tif 000004
【図４】
0003773173.tif 000005
【図５】
0003773173.tif 000006
【図６】
0003773173.tif 000007
【図７】
0003773173.tif 000008
【図８】
0003773173.tif 000009
【図９】
0003773173.tif 000010
【図１０】
0003773173.tif 000011